(57)【要約】【課題】    ヘッドバンドと耳カップの組立て作業が容易であり、また装置を可及的に薄く折り畳むことができる耳当てを提供すること。【解決手段】    耳当て装置がヘッドバンド１０と耳カップ２０とを有しておいて、ヘッドバンド１０は、帯状に形成された第１のバンド部材１０１と第２のバンド部材１０２の２つのバンド部材を有し、これら各バンド部材に長さ方向に平行する摺動溝１０３，１０４が形成され、各バンド部材に設けた抜止め係合子１０５，１０６を相手方部材の摺動溝に摺動自在でかつ脱出不可に結合したものであり、耳カップ２０は、リング状に形成されたリング部材２０１と該リング部材に一体成形され支持軸２０４を設けた支持軸連結片２０２とを有し、第１及び第２のバンド部材１０１，１０２に設けた連結孔１０７にリング部材２０１の支持軸２０４を回動自在でかつ脱出不可に結合する。【選択図】    図２
2013132426.tif 000002
【特許請求の範囲】
【請求項１】
耳当て装置がヘッドバンド（１０）と耳カップ（２０）とを有するものであって、上記ヘッドバンド（１０）は、帯状で側面視が弧状に形成された第１のバンド部材（１０１）と第２のバンド部材（１０２）の２つのバンド部材を有し、これらの各バンド部材に長さ方向に平行する摺動溝（１０３，１０４）が形成され、各バンド部材に設けた抜止め係合子（１０５，１０６）が相手方部材の摺動溝に摺動自在でかつ組立て後は脱出不可に結合されたものであり、上記耳カップ（２０）は、リング状に形成されたリング部材（２０１）と該リング部材に一体成形された支持軸連結片（２０２）とを有し、該支持軸連結片に支持軸（２０４）を設けたものであり、上記第１及び第２のバンド部材（１０１，１０２）の自由端に設けた連結孔（１０７）に上記リング部材（２０１）の上記支持軸連結片（２０２）に設けられた上記支持軸（２０４）を回動自在でかつ組立て後は脱出不可に結合して上記ヘッドバンド（１０）と上記耳カップ（２０）を組み立てたことを特徴とする耳当て装置。
【請求項２】
第１及び第２のバンド部材（１０１，１０２）に設けた抜止め係合子（１０５，１０６）は、第１の抜止め係合子（１０５）が第１のバンド部材（１０１）の表面に上向き方向に設けられ、第２の抜止め係合子（１０６）が第２のバンド部材（１０２）の裏面下向き方向に設けられており、上記第１の抜止め係合子（１０５）は、抜止め軸部（１０５ａ）の上端に形成した抜止め頭部（１０５ｂ）がバンド部材の長手方向に直交する方向に形成され、上記第２の抜止め係合子（１０６）は、抜止め軸部（１０６ａ）の上端に形成した抜止め頭部（１０６ｂ）がバンド部材の長手方向に平行する方向に形成し摺動溝１０３の溝幅よりも若干幅広に形成したことを特徴とする請求項１に記載の耳当て装置。
【請求項３】
リング部材（２０１）の支持軸連結片（２０２）に設けられた支持軸（２０４）は、支持軸部（２０４ａ）と該支持軸部よりも若干大径に形成した支持頭部（２０４ｂ）とからなり、当該支持軸部中心に軸の頂部から根本に達するスリット（２０４ｃ）を設けたことを特徴とする請求項１又は２に記載の耳当て装置。
【請求項４】
リング部材（２０１）の支持軸連結片（２０２）に設けられた支持軸（２０４）を挟んで複数個の係合突起（２１０）を設け、バンド部材（１０１，１０２）に設けた連結孔（１０７）の周囲に上記係合突起（２１０）を嵌入係合する位置に複数個の係合凹穴（１２０）を形成したことを特徴とする請求項１から３のいずれかに記載の耳当て装置。
【請求項５】
耳カップ（２０）は、リング部材（２０１）が支持軸（２０４）を上方に向けた状態において、側面視で外側に張り出す弧状型に形成されていることを特徴とする請求項１から４のいずれかに記載の耳当て装置。
【請求項６】
組み立てられたヘッドバンド（１０）と耳カップ（２０）は、布製の保温カバー（３０）により被覆したことを特徴とする請求項１から５のいずれかに記載の耳当て装置。
【発明の詳細な説明】
【技術分野】
【０００１】
本発明は、耳当て装置に関しており、さらに詳しくは、装置の組立て作業が容易であるとともに、装置を可及的に薄く折り畳むことができるものであり、さらに耳カップを心地よい適度な押圧力で耳部にフィットさせることができる耳当て装置に関している。
【背景技術】
【０００２】
耳当て装置が、人の頭部に装着するヘッドバンドとヘッドバンドの両端に設けた耳カップとからなり、ヘッドバンドと耳カップが折り畳み可能に設けられたものは、特許文献１により知られており、また、ヘッドバンド及び耳カップが折り畳み可能であって全体を保温カバーで被覆したものは、特許文献２により知られている。
【０００３】
特許文献１に記載の耳当ては、弧状ばね体３（ヘッドバンド）の自由端に連結片４を回動自在に取り付け、該連結片４を耳あて本体５（耳カップ）に蝶番機構６によって蝶着したものであり、連結片４を弧状ばね体３に対して直角方向に回動して弧状ばね体３と耳あて本体５とを平行に配することにより、第２図に示すように、耳当てを折畳み可能にしたものである。なお、特許文献１において、弧状ばね体３は、２枚の部材を使用しそれぞれの端部に設けた筒状部２に相手方の部材を摺動自在に挿入して全体の長さ調整を可能にしている。
【０００４】
上記した耳当ては、折畳み可能であるが、弧状ばね体３と耳あて本体５とが連結片４を介して結合されているので、折り畳まれた耳あて７は、弧状ばね体３と耳あて本体５の厚みに加えて連結片４の長さ分だけ厚くなり、薄くて携帯に好都合な耳当てを使用したいという使用者の要望を満足させることができないものとなっている。
【０００５】
一方、特許文献２に記載の耳当ては、図２５〜２７において、可撓性バンド１８’（ヘッドバンド）が、半円状第１部材１５４と半円状第２部材１５６を有し、各部材の一端に回動自在に設けた被包部分１５８，１６０に、もう一方の部材の他端を相手方の被包部分１５８，１６０に摺動自在に挿入したものであり、いずれも半円状部材１５４、１５６の先端に耳カップ１６４を回動自在に設けたものである。
【０００６】
特許文献２の耳カップ１６４は、半円状部材１５４，１５６に対し取付けヘッド１６６によって回動自在に設けられているから、耳カップ１６４を回動して耳当てを折り畳むことができものであり、ここでは、特許文献１に見られるような連結片４を使用していないので、特許文献１と比較した場合は、折り畳んだ状態で全体が薄く形成されるという優位性があるが、半円状部材１５４，１５６どうしの組立て作業ならびに耳カップ１６４と半円状部材１５４，１５６の組立て作業に手数を要するといった難点がある。
【０００７】
また、特許文献１及び２に記載の耳当ては、ヘッドバンドの湾曲を小さくすると耳カップが人の耳部を押圧する押圧力を高めることができる構造となっているが、耳当てをしっかり装着することを目的にヘッドバンドの湾曲を小さくしただけでは、耳カップの押圧力が高まるだけであって、耳カップを心地よい適度な押圧力で耳部にフィットさせることができないという問題がある。
【０００８】
【特許文献１】実開昭５８−１８２５９４号公報
【特許文献２】特開平１０−７９９９４号公報
【発明の開示】
【発明が解決しようとする課題】
【０００９】
本発明が解決しようとする課題は、ヘッドバンドと耳カップの組立て作業が容易であるとともに、装置を可及的に薄く折り畳むことができることの他、耳カップを適度な押圧力で心地よく装着することができるようにした耳当て装置を提供することである。
【課題を解決するための手段】
【００１０】
解決手段の第１は、耳当て装置がヘッドバンドと耳カップとを有するものであって、上記ヘッドバンドは、帯状で側面視が弧状に形成された第１のバンド部材と第２のバンド部材の２つのバンド部材を有し、これらの各バンド部材に長さ方向に平行する摺動溝が形成され、各バンド部材に設けた抜止め係合子が相手方部材の摺動溝に摺動自在でかつ組立て後は脱出不可に結合されたものであり、上記耳カップは、リング状に形成されたリング部材と該リング部材に一体成形された支持軸連結片とを有し、該支持軸連結片に支持軸を設けたものであり、上記第１及び第２のバンド部材の自由端に設けた連結孔に上記リング部材の上記支持軸連結片に設けられた上記支持軸を回動自在でかつ組立て後は脱出不可に結合して上記ヘッドバンドと上記耳カップを組み立てたことを特徴とするものである。
【００１１】
解決手段の第２は、解決手段の第１において、第１及び第２のバンド部材に設けた抜止め係合子は、第１の抜止め係合子が第１のバンド部材の表面に上向き方向に設けられ、第２の抜止め係合子が第２のバンド部材の裏面下向き方向に設けられており、上記第１の抜止め係合子は、抜止め軸部の上端に形成した抜止め頭部がバンド部材の長手方向に直交する方向に形成され、上記第２の抜止め係合子は、抜止め軸部の上端に形成した抜止め頭部がバンド部材の長手方向に平行する方向に形成し摺動溝１０３の溝幅よりも若干幅広に形成したことを特徴とするものである。
【００１２】
解決手段の第３は、解決手段の第１又は２において、リング部材の支持軸連結片に設けられた支持軸は、支持軸部と該支持軸部よりも若干大径に形成した支持頭部とからなり、当該支持軸部中心に軸の頂部から根本に達するスリットを設けたことを特徴とするものである。
【００１３】
解決手段の第４は、解決手段の第１から３のいずれかにおいて、リング部材の支持軸連結片に設けられた支持軸を挟んで複数個の係合突起を設け、バンド部材に設けた連結孔の周囲に上記係合突起を嵌入係合する位置に複数個の係合凹穴を形成したことを特徴とするものである。
【００１４】
解決手段の第５は、解決手段の第１から４のいずれかにおいて、耳カップは、リング部材が支持軸を上方に向けた状態において、側面視で外側に張り出す弧状型に形成されていることを特徴とするものである。
【００１５】
解決手段の第６は、解決手段の第１から５のいずれかにおいて、組立てられたヘッドバンドと耳カップが布製の保温カバーにより被覆されたことを特徴とするものである。
【発明の効果】
【００１６】
請求項１は、ヘッドバンドが長さ方向に摺動自在に形成した第１及び第２のバンド部材とからなり、これらのバンド部材に設けた第１及び第２の抜止め係合子を相手方部材の摺動溝に摺動自在でかつ組立て後は脱出不可に結合し、耳カップがリング状に形成したリング部材に形成した支持軸連結片に支持軸を設けたものであり、当該支持軸を上記バンド部材の自由端に設けた連結孔に摺動自在でかつ組立て後は脱出不可に結合しものであって、ヘッドバンドの組み立て並びにヘッドバンドと耳カップの組み立てが所謂ワンタッチ作業で行えるので、組立作業が容易であることの効果がある。
また、請求項１は、ヘッドバンドと耳カップを連結する手段が、耳カップに形成した支持軸連結片に設けた支持軸とヘッドバンドに設けた連結孔であり、支持軸を設けた支持軸連結片が耳カップのリング部材に一体成形されると共に支持軸がリング部材から至近な位置に設けられているので、装置を可及的に薄く折り畳むことができる効果がある。
【００１７】
請求項２は、２つのバンド部材を互いに結合する抜止め係合子が、第１の抜止め係合子は第１のバンド部材の表面に上向きに設けられ、第２の抜止め係合子は第２のバンド部材の裏面に下向きに設けられ、第１の抜止め係合子の抜止め軸部の上端に形成した抜止め頭部がバンド部材の長手方向に直交して形成され、第２の抜止め係合子の抜止め軸部の上端に形成した抜止め頭部がバンド部材の長手方向に平行し摺動溝の溝幅よりも若干幅広に形成されたものであるから、第１及び第２の抜止め係合子を相手方部材の摺動溝に挿入結合する組立て作業が容易であることの他、結合後は摺動溝から脱出不可に形成されることの効果がある。
【００１８】
請求項３は、リング部材とバンド部材を結合する支持軸の支持軸部に軸方向に沿うスリットを形成したものであるから、両者を結合する組立て作業が容易であることの他、結合後は連結孔から脱出不可に形成されることの効果がある。
【００１９】
請求項４は、リング部材に設けた支持軸を挟んで対角線上に複数個の係合突起を設け、バンド部材の連結孔の周囲に上記係合突起を係合する位置に複数個の係合凹穴を形成したものであるから、両者の結合は強い力では自由に回動するが、耳カップの取付け位置を設定した位置に固定できる効果がある。
【００２０】
請求項５は、耳カップが支持軸を上方に向けた状態において、側面視で弧状型に形成したものであるから、耳カップに耳当ての中心に向かう弾性力を発生させ、耳カップを心地よい適度な押圧力で耳部にフィットさせることができる効果がある。
【００２１】
請求項６は、耳当て装置の骨組となるヘッドバンド及び耳カップを保温カバーで被服したものであるから、防寒効果の高い耳当て装置が得られることの効果がある。
【図面の簡単な説明】
【００２２】
【図１】耳当て装置の全体を示しており、保温カバーの一部を破断した状態を示す正面図。
【図２】ヘッドバンドと耳カップを示す斜視図。
【図３】ヘッドバンドを構成する第１のバンド部材を示しており、（イ）は斜視図、（ロ）は断面図、（ハ）は第１の抜止め係合子の斜視図。
【図４】ヘッドバンドを構成する第２のバンド部材を示しており、（イ）は斜視図、（ロ）は断面図、（ハ）は第２の抜止め係合子の斜視図。
【図５】ヘッドバンドの断面図。
【図６】耳カップを示しており、（イ）は斜視図、（ロ）は断面図。
【図７】耳カップの支持軸連結片に設けた支持軸を示しており、（イ）は要部の正面図、（ロ）は断面図。
【図８】バンド部材に設けた連結孔を示しており、（イ）は要部の正面図、（ロ）は断面図。
【図９】バンド部材の連結孔に耳カップの支持軸を収容して両者を結合した状態を示す断面図。
【発明を実施するための形態】
【００２３】
図１，図２において、耳当て装置１は、長さ方向に摺動自在に形成した２本の部材からなるヘッドバンド１０と、ヘッドバンド１０の自由端に回動自在に設けられた耳カップ２０とを有するものであって、これらヘッドバンド１０及び耳カップ２０に、布製の保温カバー３０を被覆するものである。実施形態において、ヘッドバンド１０及び耳カップ２０は、いずれもプラスチックの成型品である。
【００２４】
図３ないし図５において、ヘッドバンド１０は、ともに帯状で側面視が弧状に形成された第１のバンド部材１０１と第２のバンド部材１０２からなり、各部材には長さ方向に平行な摺動溝１０３，１０４が形成されている。また、第１のバンド部材１０１の一端に第１の抜止め係合子１０５を設け、第２のバンド部材１０２の一端に第２の抜止め係合子１０６が設けられており、いずれもバンド部材１０１，１０２には、他端に耳カップ２０を結合するための連結孔１０７が設けられている。
【００２５】
第１及び第２のバンド部材１０１，１０２に設けられた第１及び第２の抜止め係合子１０５，１０６は、第１の抜止め係合子１０５が第１のバンド部材１０１の表面に上向き方向に取り付けられ、また、第２の抜止め係合子１０６が第２のバンド部材１０２の裏面に下向き方向に取り付けられている
(図３，図４）。
【００２６】
ここで、第１及び第２の抜止め係合子１０５，１０６は、相手方部材の摺動溝内に摺動自在でかつ組立て後は脱出不可に結合されている。
【００２７】
実施形態において、第１のバンド部材１０１を第２のバンド部材１０２の裏面（下面）に当接し、第１の抜止め係合子１０５を第２のバンド部材１０２の摺動溝１０４に下方から挿入し、また、第２の抜止め係合子１０６は、第１のバンド部材１０１の摺動溝１０３に上方から挿入して両者を長さ方向に摺動自在に結合している。なお、第１及び第２のバンド部材１０１，１０２は、第１及び第２の抜止め係合子１０５，１０６が相手方の摺動溝１０３，１０４内を摺動する範囲で全体の長さ調整が可能となる。
【００２８】
第１及び第２の抜止め係合子１０５，１０６が摺動溝１０３，１０４から外れないようにするために、第１の抜止め係合子１０５は、断面形状が正方形の抜止め軸部１０５ａと該抜止め軸部１０５ａの上端にバンド部材の長手方向に直交する方向に設けた抜止め頭部１０５ｂとを形成している。また、第２の抜止め係合子１０６は、断面形状が長方形でバンド部材の長手方向に平行する方向に向けた抜止め軸部１０６ａと、当該抜止め軸部１０６ａの上端にバンド部材の長手方向に平行する方向に設けた抜止め顎部１０６ｂとを形成している。
【００２９】
なお、抜止め顎部１０６ｂは、第１の抜止め係合子１０５の摺動溝１０３の溝幅よりも若干幅広に形成されており、組み立てる時は、抜止め顎部１０６ｂを摺動溝１０３内に圧入して両者を係合する。これにより、第１及び第２の抜止め係合子１０５，１０６は、いずれも相手方部材の摺動溝１０３，１０４内に摺動自在に収容されるが、組立て後は脱出不可に結合されるものとなる。
【００３０】
抜止め軸部１０６ａ及び抜止め顎部１０６ｂは、第１のバンド部材１０１の摺動溝１０３へ摺動自在に収容した後に、両者が外れないようにするためのストッパーとして機能するものであり、抜止め軸部１０６ａを第１のバンド部材１０１の摺動溝１０３へ圧入すると、抜止め顎部１０６ｂが摺動溝１０３を経て第１のバンド部材１０１の裏側に達し、通常の力では抜止め軸部１０６ａが摺動溝１０３から外れることがない。
【００３１】
第１及び第２のバンド部材１０１，１０２を組み立てるには、まず、第２のバンド部材１０２の下面に第１のバンド部材１０１を直交する方向に向けて当接し、第１のバンド部材１０１が有する第１の抜止め係合子１０５を第２のバンド部材１０２の摺動溝１０４に挿入する。次いで、２つのバンド部材１０１，１０２を９０度回動してバンド部材を平行方向に向けると、摺動溝１０４から突出している第１の抜止め係合子１０５の抜止め頭部１０５ｂが第２のバンド部材１０２の上面に係合状態で装着される。
【００３２】
摺動溝１０４内に結合された抜止め軸部１０５ａは、溝内を摺動できるが、強い力を加えれば再び９０度方向に回動させることができるので、２つのバンド部材１０１，１０２は直交方向から平行方向に、又その反対の平行方向から直交方向へ変更できるようになっている。
【００３３】
一方、第２のバンド部材１０２が有する第２の抜止め係合子１０６を第１のバンド部材１０１の摺動溝１０３に収容するには、第２の抜止め係合子１０６が下向きに設けられているから、当該第２の抜止め係合子１０６を第１のバンド部材１０１の摺動溝１０３に圧入して抜止め顎部１０６ｂを摺動溝１０３の裏面に係合状態で装着する。第１及び第２のバンド部材１０１，１０２は互いに摺動自在に形成されているから、バンド部材１０１，１０２の長さが調整可能になっている。
【００３４】
第２のバンド部材１０２の表面は、第１の抜止め係合子１０５の抜止め頭部１０５ｂが係合状態のまま摺動するので、２つのバンド部材１０１，１０２が長さの設定をした後にその長さを維持できるようにするため、第２のバンド部材１０２の表面に摺動溝１０４に沿う複数のストッパー条１１０が設けられている。なお、ストッパー条１１０は、摺動溝１０４を挟んで溝の長手方向に直交する方向に線状に盛り上げた形状を有しており、第１の抜止め係合子１０５の抜止め頭部１０５ｂは当該ストッパー条１０４ａを乗り越えて摺動可能であるが、バンド部材１０１，１０２をこの位置に固定することが可能となるものである。
【００３５】
上記したように、第１及び第２のバンド部材１０１，１０２を組み立てるとヘッドバンド１０が形成されるが、このとき、各バンド部材１０１，１０２の先端に耳カップ２０を結合する連結孔１０７が出現するようにする。
【００３６】
図６において、耳カップ２０は、リング状に形成されたリング部材２０１を主要部としており、該リング部材２０１から突出させ側面視で概略９０度に折り曲げた支持軸連結片２０２が当該リング部材２０１に一体成形されたものである。なお、支持軸連結片２０２は、該支持軸連結片２０２の両側縁に沿ってリング部材２０１に達する切込み２０３が形成されているから、支持軸連結片２０２が実質的に長く形成されており、部材に弾性が生じてソフト感が得られるものとなっている。
【００３７】
図７ないし図９において、上記リング部材２０１の支持軸連結片２０２には、折り曲げられた状態において、側面視外側面にリングの中心から放射方向に向う支持軸２０４がリング部材２０１から至近な位置に設けられている。ここで支持軸２０４は、支持軸部２０４ａと軸部よりは若干大径な支持頭部２０４ｂとを有しており、バンド部材の連結孔１０７に収容して両者を結合するものである。また、支持軸部２０４ａには、軸の中心部に軸の頂部から根本に達するスリット２０４ｃを形成している。
【００３８】
なお、支持軸２０４は、バンド部材１０１（１０２）の連結孔１０７に回動自在に収容されるが組み立て後は脱出不可に結合される。
【００３９】
バンド部材１０１とリング部材２０１を結合した後は、バンド部材とリング部材が９０度の範囲で回動可能に組み立てられるので、両者の位置を固定できるようにするための構造を備えている。具体的には、リング部材２０１の支持軸連結片２０２に設けた支持軸２０４を挟んで対角線上に複数の係合突起２１０を、好ましくは２個の係合突起２１０を形成し（図７）、また、バンド部材１０１に設けた連結孔１０７の周囲に上記係合突起２１０を嵌入係合する位置に複数の係合凹穴１２０を、好ましくは９０度の位相で４個の係合凹穴１２０を形成している（図８）。
【００４０】
ヘッドバンド１０を使用する時は、最初にバンド部材１０１，１０２と支持軸連結片２０２を直線方向に向ける。この時、支持軸連結片２０２の係合突起２１０がバンド部材１０１，１０２の係合凹穴１２０と係合している。バンド部材１０１，１０２と支持軸連結片２０２の結合は、強い力で耳カップ２０を回動すれば、係合突起２１０が係合凹穴１２０を乗り越えて自由に回動するが、両者が係合状態になっているときは（図９）、耳カップ２０はこの位置で固定される。
【００４１】
支持軸連結片２０２は、バンド部材１０１，１０２の長手方向に対して直交する方向から、左右どちらの方向にも９０度回動することが可能であり、結果として１８０度の範囲で回動できるものである。
【００４２】
耳カップ２０は、ヘッドバンド１０の端部に設けられており、ヘッドバンド１０を人の頭部に装着したときに、耳部に心地よくフィットさせるために支持軸２０４を上向きした状態で、側面視外側に張り出す弧状型に形成されている。これにより、ヘッドバンド１０の自由端を広げて人の頭部に装着すると、ヘッドバンド１０が元の弧状形状に戻ろうとする弾性力と耳カップ２０の弾性力とが相俟って、耳部に心地よい押圧力でフィットさせることができるものとなる。
【００４３】
バンド部材１０１と耳カップ２０のリング部材２０１との結合は、支持軸３０１をバンド部材１０１に設けた連結孔１０７に下面側から圧入する。支持軸３０１の支持頭部３０１ｂが連結孔１０７を通過すると、支持頭部３０１ｂがバンド部材から突出して当該支持軸３０１は連結孔１０７に回動自在であるが脱出不可に結合される。
【００４４】
耳当て装置の組み立ては、初めに、第１のバンド部材１０１の第１の抜止め係合子１０５を第２のバンド部材１０２の摺動溝１０４に下側から挿入する。第１の抜止め係合子１０５の抜止め頭部１０５ｂは、バンド部材の長手方向に直交しているから、第１の抜止め係合子１０５を第２のバンド部材１０２の摺動溝１０４に収容した時点で、第１及び第２のバンド部材１０１，１０２は互いに直交している。ここで、両者を９０度回動して第１及び第２のバンド部材１０１，１０２を互いに平行方向に向けると、第２のバンド部材１０２が有する第２の抜止め係合子１０６の抜止め頭部１０６ｂが、第１のバンド部材１０１の摺動溝１０３の上面に達しているので、ここで、第２の抜止め係合子１０６を第１のバンド部材１０１の摺動溝１０３内に圧入して両バンド部材１０１，１０２を摺動自在に結合する。
【００４５】
次に、第１及び第２のバンド部材１０１，１０２に設けられた連結孔１０７に、リング部材２０１に設けた支持軸２０４をバンド部材の円弧状の内側方向から挿入し、支持軸２０４の支持顎部２０４ｂをバンド部材１０１，１０２の表面に突出して両者を回動自在に結合し、耳当て装置の骨組を形成した後、ヘッドバンド１０と耳カップ２０を保温カバー３０で被覆する。
【００４６】
本発明は、ヘッドバンド１０の組み立て及びヘッドバンド１０と耳カップ２０の組立て作業が、所謂ワンタッチ作業で行えるものであるから、従来製品と比較して組立て作業が容易なものとなっている。
【符号の説明】
【００４７】
１  耳当て装置
１０  ヘッドバンド
１０１  第１のバンド部材
１０２  第２のバンド部材
１０３，１０４  摺動溝
１０５  第１の抜止め係合子
１０５ａ  抜止め軸部
１０５ｂ  抜止め頭部
１０６  第２の抜止め係合子
１０６ａ  抜止め軸部
１０６ｂ  抜止め頭部
１０７  連結孔
１１０  ストッパー条
１２０  係合凹穴
２０  耳カップ
２０１  リング部材
２０２  支持軸連結片
２０３  切込み
２０４  支持軸
２０４ａ  支持軸部
２０４ｂ  支持顎部
２０４ｃ  スリット
２１０  係合突起
３０  保温カバー
【図１】
2013132426.tif 000003
【図２】
2013132426.tif 000004
【図３】
2013132426.tif 000005
【図４】
2013132426.tif 000006
【図５】
2013132426.tif 000007
【図６】
2013132426.tif 000008
【図７】
2013132426.tif 000009
【図８】
2013132426.tif 000010
【図９】
2013132426.tif 000011